(57)【要約】【課題】柱と梁を接合する際に、接着剤の接合方法と接合金物の接合方法の利点を兼備し、意匠性・施工性・接合金物の取付強度を高いレベルで保持する。【解決手段】柱と梁を接合金物３を介して連結する柱と梁の接合部において、接合金物は、柱の側面に止める柱固定片４と、梁の上面に止める梁固定片５をＬ字状に設け、柱固定片と梁固定片の内側部分に補強片６を形成し、柱はその内部に横ボルト１０を接着剤１１で固定すると共に、横ボルトの一端部を柱から梁側に突出し、横ボルト端部に柱固定片の抜穴７を通してナットで固定し、梁はその一端部内に縦ボルト１９を接着剤で固定すると共に、縦ボルトの一端部を梁から上方に突出し、縦ボルト端部に梁固定片の抜穴を通してナットで固定し、且つその上面には柱側に通じるスリット１６を底面よりも上側まで形成し、スリット内に補強片を収容して梁の底面・側面から補強片を隠蔽する。【選択図】      図１
2006299712.tif 000002
【特許請求の範囲】
【請求項１】
柱（１）と梁（２）を接合金物（３）を介して連結する柱と梁の接合部において、
接合金物（３）は、梁の端面に相当する位置で柱の側面に固定する柱固定片（４）と、梁の上面に固定する梁固定片（５）をＬ字状に連続すると共に、柱固定片（４）と梁固定片（５）の内側部分には補強片（６）を両固定片に亘って形成し、
柱（１）は、その内部のボルト差込穴（９）に横ボルト（１０）の大半部分を接着剤（１１）で固定して収容すると共に、横ボルト（１０）の一端部を柱から梁側に突出し、その横ボルト（１０）の一端部に柱固定片（４）の抜穴（７）を通してナット（１４）で固定し、
一方、梁（２）は、その一端部内のボルト挿入穴（１７）に縦ボルト（１９）の大半部分を接着剤（１８）で固定して収容すると共に、縦ボルト（１９）の一端部を梁上面から上方に突出し、その縦ボルトの一端部に梁固定片（５）の抜穴（８）を通してナット（２５）で固定し、且つその上面には柱側に通じるスリット（１６）を底面よりも上側まで形成し、スリット（１６）内に補強片（６）を収容して梁の底面・側面から補強片（６）を隠蔽してあることを特徴とする柱と梁の接合部。
【請求項２】
梁の端面を柱に突き合わせると共に、梁の一端部の横幅内においてスリット（１６）に連通する凹溝（１５）を、その上面から底面よりも上側まで形成し、柱固定片（４）と横ボルト（１０）の一端部及びその締結用ナット（１４）を凹溝（１５）に収容することを特徴とする請求項１記載の柱と梁の接合部。
【請求項３】
柱固定片（４）・梁固定片（５）の柱・梁へのめり込み防止用ナット（２６，２１）を横ボルト（１０）・縦ボルト（１９）にそれぞれネジ込んで、柱の側面・梁の上面には、めり込み防止用ナット（２６，２１）を面一状に固定することを特徴とする請求項１又は２記載の柱と梁の接合部。
【請求項４】
柱の内部のボルト差込穴（９）に横ボルト（１０）の大半部分を差し込んで接着剤（１１）を注入・硬化すると共に横ボルト（１０）の一端部を柱から梁側に突出する工程と、梁の一端部内のボルト挿入穴（１７）に縦ボルト（１９）の大半部分を差し込んで接着剤（１８）を注入・硬化すると共に縦ボルト（１９）の一端部を梁上面から上方に突出し且つその上面には柱側に通じるスリット（１６）を底面よりも上側まで形成する工程を、柱と梁を施工現場に搬入する前に行い、
柱固定片（４）と梁固定片（５）をＬ字状に連続すると共に柱固定片（４）と梁固定片（５）の内側部分に補強片（６）を両固定片に亘って形成してある接合金物（３）を用意した後に、
柱の側面から突出する横ボルト（１０）の一端部に接合金物（３）の柱固定片（４）の抜穴（７）を通してナット（１４）で固定する工程と、固定した接合金物（３）の下方から梁を吊り上げて梁のスリット（１６）内に補強片（６）を挿入すると共に梁固定片の抜穴（８）に縦ボルト（１９）の一端部を通す工程と、梁固定片（５）を縦ボルト（１９）にナット（２５）で固定する工程を、施工現場で行なうことを特徴とする柱と梁の接合方法。
【請求項５】
スリット（１６）に連通する凹溝（１５）を、梁の一端部の横幅内においてその上面から底面よりも上側まで形成する工程を、柱と梁を施工現場に搬入する前までに行い、
固定した接合金物（３）の下方から梁を吊り上げて梁のスリット（１６）内に補強片（６）を挿入すると共に柱固定片（４）と横ボルト（１０）の一端部及びその締結用ナット（１４）を凹溝（１５）内に収容する工程を施工現場で行なうことを特徴とする請求項４記載の柱と梁の接合方法。
【請求項６】
柱の内部のボルト差込穴（９）に横ボルト（１０）の大半部分を差し込んでから接着剤（１１）を注入・硬化するまでの間に、柱固定片（４）の柱へのめり込み防止用ナット（２６）を横ボルト（１０）にネジ込んで、ボルト差込穴の入口部分の座ぼり（３０）にめり込み防止用ナット（２６）を位置決めして且つ柱と面一状に収容する工程を設け、
梁の一端部内のボルト挿入穴（１７）に縦ボルト（１９）の大半部分を差し込んでから接着剤（１８）を注入・硬化するまでの間に、梁固定片（５）の梁へのめり込み防止用ナット（２１）を縦ボルト（１９）にネジ込んで、ボルト挿入穴（１７）の入口部分の座ぼり（２０）にめり込み防止用ナット（２１）を位置決めして且つ梁と面一状に収容する工程を設けることを特徴とする請求項４又は５記載の柱と梁の接合方法。
【発明の詳細な説明】
【技術分野】
【０００１】
本発明は、柱に梁の端部を接合金物を介して接合する場合に、梁の端部を上側から吊り下げて支持する接合部及び接合方法に関する。
【背景技術】
【０００２】
従来の、柱と梁の接合部としては、図９に示すように柱９１に対して鉄筋９２を通して、その鉄筋を接着剤９３で柱に接着し、柱から突出する鉄筋の端部に、梁９４の端面の挿入穴９５を差し込んで接着剤で連結する構造が一例として広く知られている。
【０００３】
この接合構造は、鉄筋と木材の間に隙間無く接着剤を充填してあることから地震の際の梁の回転力に対する剛性が高く、柱や梁の表面に鉄筋が露出しないことから高い意匠性を有する反面、問題もある。例えば梁を水平に支持したまま接着剤を硬化させるために、支持部材を組立てなければならず、当然、硬化後には撤去しなければならない。また、接着剤硬化まで養生しなければならず施工現場での施工期間が長くなる。しかも、接着剤を安定して硬化させるための温湿度管理が施工現場では難しい。
【０００４】
また、他の例の柱と梁の接合部としては接合金物を利用した構造も存在する。例えば、柱の側面に接合金物をボルト・ナットで固定し、その接合金物の底板に梁の端部を載せ、底板から起立する芯板を梁内部に差し込み、梁の上面に蓋板を被せ、芯板から突出するボルトを蓋板を貫通してナットで締め付ける構造である（特許文献１）。
【特許文献１】登録実用新案第３０３１３９１号公報
【０００５】
この構造は接着剤を用いず、ボルト・ナットの締め付けで接合が完了するため、施工が容易である反面、以下のような問題がある。例えば、接合金物の底板が梁の底面に露出するし、ボルト頭部やナットが梁の側面に露出するため意匠性が大幅に損なわれる。また、上記構造は、柱にボルトがネジ込まれているだけなので、ボルトの取付強度は接着剤を使った場合に比べると弱い。さらに、地震の場合には、図１０に示すように柱９１と梁９４の垂直関係が崩れて、接合金物９６が梁にめり込むことがあった。これは、ボルト９７を通すための抜穴９８を接合金物にあけてあるが、その抜穴はボルトよりも当然僅かに大きいことと、梁の上面に接合金物（蓋板）が直に接していることが原因と考えられる。この構造の場合に、地震が発生すると、接合金物はその剛性の高さから柱に固定された形状を維持しようとし、一方、梁は水平を維持しようとするため、抜穴とボルトの隙間分だけ柱が傾いて木材に接合金物がめり込むのである。
【発明の開示】
【発明が解決しようとする課題】
【０００６】
本発明は上記実情を考慮して創作されたもので、その共通の目的は、接着剤による接合部と接合金物による接合部の利点をできるだけ兼備し、少なくとも意匠性と施工性及び接合金物の取付強度を高いレベルで保持することである。また、請求項２と４の発明の固有の目的は、意匠性をさらに向上することである。さらに、請求項３と６の発明の固有の目的は、梁の回転力に対する剛性を高いベルで保持することである。なお、請求項６の発明の目的には、施工性のさらなる向上もある。
【課題を解決するための手段】
【０００７】
請求項１の発明は、柱と梁を接合金物を介して連結する柱と梁の接合部に関する。そして、接合金物は、梁の端面に相当する位置で柱の側面に固定する柱固定片と、梁の上面に固定する梁固定片をＬ字状に連続すると共に、柱固定片と梁固定片の内側部分には補強片を両固定片に亘って形成してある。柱は、その内部のボルト差込穴に横ボルトの大半部分を接着剤で固定して収容すると共に、横ボルトの一端部を柱から梁側に突出し、その横ボルトの一端部に柱固定片の抜穴を通してナットで固定してある。一方、梁は、その一端部内のボルト挿入穴に縦ボルトの大半部分を接着剤で固定して収容すると共に、縦ボルトの一端部を梁上面から上方に突出し、その縦ボルトの一端部に梁固定片の抜穴を通してナットで固定し、且つその上面には柱側に通じるスリットを底面よりも上側まで形成し、スリット内に補強片を収容して梁の底面・側面から補強片を隠蔽してある。以上を特徴とする。
【０００８】
柱固定片と横ボルトの一端部及びその締結用ナットは、梁の内部に収容されていない構造であっても良いが、意匠性を良くするには、請求項２の発明のようにすることが望ましい。即ち、梁の端面を柱に突き合わせると共に、梁の一端部の横幅内においてスリットに連通する凹溝を、その上面から底面よりも上側まで形成し、柱固定片と横ボルトの一端部及びその締結用ナットを凹溝に収容することである。
【０００９】
地震の際には梁に回転力が加わって柱固定片・梁固定片が木材にめり込もうとするが、これを防止するには請求項３の発明のようにすることが望ましい。即ち、柱固定片・梁固定片の柱・梁へのめり込み防止用ナットを横ボルト・縦ボルトにそれぞれネジ込んで、柱の側面・梁の上面には、めり込み防止用ナットを面一状に固定することである。
【００１０】
請求項４の発明は柱と梁の接合方法であって、柱の内部のボルト差込穴に横ボルトの大半部分を差し込んで接着剤を注入・硬化すると共に横ボルトの一端部を柱から梁側に突出する工程と、梁の一端部内のボルト挿入穴に縦ボルトの大半部分を差し込んで接着剤を注入・硬化すると共に縦ボルトの一端部を梁上面から上方に突出し且つその上面には柱側に通じるスリットを底面よりも上側まで形成する工程を、柱と梁を施工現場に搬入する前に行う。そして、柱固定片と梁固定片をＬ字状に連続すると共に柱固定片と梁固定片の内側部分に補強片を両固定片に亘って形成してある接合金物を用意する。その後に、柱の側面から突出する横ボルトの一端部に接合金物の柱固定片の抜穴を通してナットで固定する工程と、固定した接合金物の下方から梁を吊り上げて梁のスリット内に補強片を挿入すると共に梁固定片の抜穴に縦ボルトの一端部を通す工程と、梁固定片を縦ボルトにナットで固定する工程を、施工現場で行なうことを特徴とする。
【００１１】
また、柱固定片と横ボルトの一端部及びその締結用ナットは、梁の内部に収容しなくとも良いが、意匠性を良くするには、請求項５の発明のようにすることが望ましい。即ち、スリットに連通する凹溝を、梁の一端部の横幅内においてその上面から底面よりも上側まで形成する工程を、柱と梁を施工現場に搬入する前までに行い、固定した接合金物の下方から梁を吊り上げて梁のスリット内に補強片を挿入すると共に柱固定片と横ボルトの一端部及びその締結用ナットを凹溝内に収容する工程を施工現場で行なう。
【００１２】
地震の際には梁に回転力が加わって柱固定片・梁固定片が木材にめり込もうとするが、これを防止することが望ましい。また、接着剤の注入作業を容易にするには、ボルト差込穴・ボルト挿入穴に対する横ボルト・縦ボルトの位置決めを迅速にすることが望ましい。それには、請求項６の発明のようにする。即ち、柱の内部のボルト差込穴に横ボルトの大半部分を差し込んでから接着剤を注入・硬化するまでの間に、柱固定片の柱へのめり込み防止用ナットを横ボルトにネジ込んで、ボルト差込穴の入口部分の座ぼりにめり込み防止用ナットを位置決めして且つ柱と面一状に収容する工程を設けると共に、梁の一端部内のボルト挿入穴に縦ボルトの大半部分を差し込んでから接着剤を注入・硬化するまでの間に、梁固定片の梁へのめり込み防止用ナットを縦ボルトにネジ込んで、ボルト挿入穴の入口部分の座ぼりにめり込み防止用ナットを位置決めして且つ梁と面一状に収容する工程を設けることである。
【発明の効果】
【００１３】
請求項１の発明は、スリット内に補強片を収容してあるので、梁の底面及び側面には接合金物が露出しないので、意匠性が高い。また、接着剤で固定してある縦ボルト・横ボルトに接合金物を固定してあるので、接合金物の取付強度も高い。さらに、接合金物を使用し、ナットの締め付けで柱と梁を組み立てるので、施工期間が短くてすみ、施工性も高い。
【００１４】
請求項２の発明は、凹溝によって柱固定片等を収容するので、接合金物を梁固定片以外について梁内に収容したことになり、その結果、意匠性が一段と向上する。
【００１５】
請求項３の発明は、めり込み防止用ナットを縦ボルト・横ボルトにネジ込み、柱や梁と面一状にしてあるので、柱固定片・梁固定片の上から止めるナットの締め付け力が、柱固定片・梁固定片を介してめり込み防止用ナットに伝達することになる。従って、地震の際に梁に対して回転力が加わっても、柱固定片・梁固定片が木材にめり込まず、梁の回転力に対する剛性を高いベルで保持できる。
【００１６】
請求項４の発明は、縦ボルトと横ボルトの接着工程を柱と梁を施工現場に搬入する前までに行なうので、施工現場で接着・硬化させることがなく施工期間を短くでき、温湿度管理がされた工場で行なうことも可能となる。そして、ナットによる締結作業からなる組立のみを施工現場で行なうので、現場での施工期間が短くなり、施工性が高い。また、請求項１と同様に意匠性、接合金物の取付強度も高い。
【００１７】
請求項５の発明は、凹溝によって柱固定片等を収容するので、接合金物を梁固定片以外について梁内に収容したことになり、その結果、意匠性が一段と向上する。また、スリットへの補強片の挿入と凹溝への柱固定片等の挿入を一挙にできるので施工性も良い。
【００１８】
請求項６の発明は、請求項３の発明と同様に、めり込み防止用ナットを縦ボルト・横ボルトにネジ込み、柱や梁と面一状にしてあるので、梁の回転力に対する剛性を高いレベルで保持できる。また、めり込み防止用のナットで座ぼりに対する位置決めをすることによって、接着剤が硬化するまで縦ボルト・横ボルトを支持しなくともボルト差込孔・ボルト挿入穴に対する横ボルト・縦ボルトの位置決めがなされることから、施工性が向上する。
【発明を実施するための最良の形態】
【００１９】
柱１と梁２の接合部は図１、図２に示すように、接合金物３を利用する。
【００２０】
接合金物３は柱固定片４の上端から梁固定片５を側方に突出してＬ字状に連続し、柱固定片４と梁固定片５の内側の横幅中央部に補強片６を両固定片４，５に亘って形成したものである。各固定片４，５にはボルト用の抜穴７，８がそれぞれあけてある。なお、梁固定片５は梁２よりも横幅を狭くし、梁２の横幅中央部に取り付けることによって、梁２を真下から少しずれた位置から視た場合にでも、梁固定片５が見えないようにして意匠性を高くしてある。
【００２１】
柱１は図１〜図４に示すように、側面から反対面に向かってボルト差込穴９を貫通してあける。このボルト差込穴９は、柱固定片４の取付強度の向上のため上下左右に間隔をあけて複数設けると共に、横ボルト１０よりも少し大きくあけてその隙間に接着剤１１を注入し、横ボルト１０をその両端部が柱１から水平に突出する状態で強固に固定する。また、柱１にはボルト差込穴９の隣り面に接着剤注入穴１２と空気排出穴１３を、ボルト差込穴９に連通して且つ左右に間隔をあけて設けてある。柱１から突出する横ボルト１０の端部に、柱固定片４の抜穴７を通してナット１４で締結すると、柱１に対して接合金物３が側方に突出した形態となる。なお、柱１の両側から横ボルト１０を突出させるのは、図示しないが柱１の両側に梁２を固定するためである。
【００２２】
梁２はその一端面の横幅中央部に、凹溝１５を上面と柱面にのみ開口してあけ、柱固定片４と横ボルト１０の端部・その締結用ナット１４を凹溝１５に収容する。また、梁２はその凹溝１５の横幅中央部にスリット１６を柱面（端面）と上面にのみ開口してあけ、スリット１６に補強片６を収容する。さらに、梁２の上面にはスリット１６を中心にして両側に、ボルト挿入穴１７を底面まで貫通することなくあける。ボルト挿入穴１７は、接着剤１８を注入するため縦ボルト１９よりも少し大きく、その上部を座ぼり２０として一回り大きく形成し、座ぼり２０にはめり込み防止用のナット２１を収容する。このナット２１は梁固定片５の抜穴８より大きく且つ座ぼり２０よりも僅かに大きく形成し、座ぼり２０内に位置決めしてガタツキなく収容して梁２の上面と面一にすると共に、ボルト挿入穴１７の上部を塞ぐ。また、梁２の側面には、接着剤注入穴２３と空気排出穴２４をボルト挿入穴１７に連通して且つ上下に間隔をあけて設けてある。柱１に接合金物３を固定した状態で、梁２の上面から突出する縦ボルト１９の端部に梁固定片５の抜穴８を通してナット２５で締結すると、柱１と梁２が接合金物３を介して一体化する。
【００２３】
上述した柱と梁の接合部の施工手順は、施工現場に柱１と梁２を搬入する前に工場で予め行なう予備工程と、施工現場で行なう組立工程に大別される。
【００２４】
予備工程は、温度湿度管理された工場で行われる。図１に示すように柱１に対しては、穴あけをすることのほか、横ボルト１０をボルト差込穴９に通して両端部を柱１から突出させ、ボルト差込穴９内の横ボルト１０の周囲に隙間があく状態で横ボルト１０を水平に保持し、ボルト差込穴９の両入口側にシール剤Ｓを注入し、シール剤Ｓの硬化後に接着剤１１を接着剤注入穴１２から注入し空気排出穴１３から接着剤１１が出る程充填させ、そのまま硬化させる。梁２に対しては、穴あけ、切削加工（スリット、凹溝の形成）をすることのほか、ナット２１の底面と座ぼり面の界面にシール剤Ｓを塗り、ナット２１を所定位置に付けた縦ボルト１９をボルト挿入穴１７に差し込み、ナット２１を座ぼり２０に押し込んで収容する。ナット２１は座ぼり２０内で位置決めされると共にボルト挿入穴１７の上部をシール剤Ｓとの併用でシールし、その結果、縦ボルト１９とボルト挿入穴１７の軸線を一致させ、ボルト挿入穴１７内で縦ボルト１９の周囲に隙間を均等にあける。そして、縦ボルト１９とナット２１の嵌め合い部分に外側からシール剤Ｓを塗り、シール剤Ｓの硬化後にボルト挿入穴１７には、ボルト差込穴９と同様に接着剤１８を注入して硬化させる。
【００２５】
組立工程は、まず、柱１から突出する横ボルト１０の一端部に接合金物３の柱固定片４の抜穴７を通してナット１４を締結して柱固定片４を柱１に強固に固定する。次に、梁２をクレーンなどで吊り上げて梁２の凹溝１５及びスリット１６に接合金物３の柱固定片４、横ボルト１０の端部・その締結用ナット１４、補強片６を挿入し、梁固定片５の抜穴８に縦ボルト１９の端部を通して梁固定片５を梁１の上面に当てる。最後に縦ボルト１９にナット２５を締結して梁２を吊り下げた状態で支持する。
【００２６】
図６は柱１と梁２の接合部の別例を示すものである。これは、ボルト差込穴９内での横ボルト１０の支持をするために、めり込み防止用のナット２６を用い、このナット２６の外周を円形にしたこと、並びに縦ボルト１９以外にラグスクリュー２７を用い、梁固定片５の抜穴２８からラグスクリュー２７を梁２の下穴２９にネジ込んで固定してあることを特徴とする。ラグスクリュー２７を使用する場合は、縦ボルト１９をナット２５で締結して梁２を接合金物３を介して柱１に吊り下げて支持した後に、予めあけてある下穴２９に一回り大きな径のラグスクリュー２７をネジ込む。ラグスクリュー２７を用いると、例えば火災などの高温時に、接着剤（縦・横ボルトを固定しているもの）の塑性化によって接合耐力が低下した場合にでも、梁２の自重を支えることができる。
【００２７】
また、めり込み防止用のナット２６は、シールしやすいように座ぼり３０と径を一致させておき、また、図示しないがその表面に引っかかり用の小穴を複数あけ、小穴にヒンジピンレンチの先部を差し込み、ヒンジピンレンチを回すことによってネジ込めるようにしておく。そして、このナット２６を使用する場合は、ボルト差込穴９の両端部に座ぼり３０を形成し、一端部にナット２６の付いた横ボルト１０をボルト差込穴９に通し、横ボルトの他端部にナット２６をネジ込んで、左右の座ぼり３０内にナット２６をそれぞれ位置決めして隙間無く収容する。なお、ナット２６の底面と座ぼり３０の界面にはシール剤Ｓを予め塗っておくことや、座ぼり内に収容されたナットの嵌め合い部分にシール剤を塗ること、最後に接着剤を注入することは、前例と同様である。
【００２８】
上述した柱と梁の接合部は、梁２の底面、側面に接合金物３が露出しないことから、意匠性が高い。なお、柱１や梁２の側面に接着剤１１，１８の注入穴１２，２３や空気排出穴１３，２４の跡が残るが、非常に小さいので意匠性には殆ど影響を与えない。一段と体裁を良くするためには図示しないが、柱１と梁２には接着剤注入穴と空気排出穴に木製の栓をすることが望ましい。
【００２９】
上述した柱と梁の接合部について以下の試験を行った。柱に断面１７０×３００ｍｍ、梁に１７０×４２０ｍｍのベイマツ集成材（Ｅ１２０−Ｆ３３０）を用いた。接合金物は厚み１９ｍｍの普通鋼材ＳＳ４００、柱固定片１２０×４１５ｍｍ、梁固定片１２０×３７６ｍｍを用いた。縦ボルト、横ボルトにはＳ４５Ｃの全ネジボルトを用いた。そして、図７に示すように柱と２本の梁を逆Ｔ字状に組み、梁の端部を固定し、柱頂部のＡ点に鋼棒を貫通し、柱から突出する鋼棒に水平荷重を加えた。この試験結果である、モーメントと柱の変形角関係を図８のグラフに示してある。本試験結果より、この実施例の接合部は弾性的で且つ高い剛性を示しており、その最大モーメントは１２６ｋＮ・ｍと非常に高い値を示している。
【図面の簡単な説明】
【００３０】
【図１】柱と梁の接合方法を示す分解図である。
【図２】柱と梁の接合部を示す組み立て図である。
【図３】（イ）（ロ）図は柱、梁の加工状態を示す図面である。
【図４】（イ）（ロ）図は工場内での予備工程を示す分解図である。
【図５】（イ）（ロ）図は柱と梁の接合部を示す縦断面図、Ａ−Ａ線横断面図である。
【図６】柱と梁の接合部の別例を示す縦断面図、Ａ−Ａ線横断面図である。
【図７】試験方法を示す説明図である。
【図８】試験結果を示すグラフである。
【図９】従来の柱と梁の接合部を示す要部断面図である。
【図１０】木材への接合金物のめり込み状態を示す説明図である。
【符号の説明】
【００３１】
１  柱
２  梁
３  接合金物
４  柱固定片
５  梁固定片
６  補強片
７  抜穴
８  抜穴
９  ボルト差込穴
１０  横ボルト
１１  接着剤
１４  ナット
１５  凹溝
１６  スリット
１７  ボルト挿入穴
１８  接着剤
１９  縦ボルト
２０  座ぼり
２１  ナット
２５  ナット
２６  ナット
３０  座ぼり
【図１】
2006299712.tif 000003
【図２】
2006299712.tif 000004
【図３】
2006299712.tif 000005
【図４】
2006299712.tif 000006
【図５】
2006299712.tif 000007
【図６】
2006299712.tif 000008
【図７】
2006299712.tif 000009
【図８】
2006299712.tif 000010
【図９】
2006299712.tif 000011
【図１０】
2006299712.tif 000012